(57)【要約】【課題】本発明は被貼着物から保護フィルムを剥離する際に発生する帯電量を測定する測定装置および方法に関する。【解決手段】被貼着物と保護フィルムを置くための金属板とそれと導線により結線されている帯電量を測定するためのクーロンメーターを有し、該金属板は絶縁物の上にある被貼着物から保護フィルムを剥離する際に発生する帯電量を逐次測定できることを特徴とする測定装置および該測定装置を用い、金属板に貼り合わせた被貼着物と保護フィルムを置き、保護フィルムを剥離する際に発生する帯電量をクーロンメーターにより測定する方法。【選択図】  図３
2005257674.tif 000002
【特許請求の範囲】
【請求項１】
被着物と保護フィルムを置くための金属板とそれと導線により結線されているクーロンメーターを有し、該金属板は絶縁物の上にある、被貼着物から保護フィルムを剥離する際の剥離帯電量（Ｑ）の測定装置。
【請求項２】
被着物から保護フィルムを剥離する際に発生する剥離帯電量（Ｑ）を、クーロンメーターにて逐次測定できることを特徴とする請求項１に記載の測定装置。
【請求項３】
金属板の面積が被着物と保護フィルムより大きい請求項１乃至請求項２のいずれか一項に記載の装置。
【請求項４】
金属板とクーロンメーターがアースされている請求項１乃至請求項３のいずれか一項に記載の測定装置。
【請求項５】
測定装置は、その周囲をアースされている導電性の材料で覆われていることを特徴とする請求項１乃至請求項４のいずれか一項に記載の測定装置。
【請求項６】
請求項１乃至請求項５のいずれか一項に記載の測定装置を用い、金属板に置かれた、貼り合わせた被貼着物と保護フィルムから保護フィルムを剥離する際に発生する帯電量（Ｑ）を測定する方法。
【発明の詳細な説明】
【技術分野】
【０００１】
本発明は被貼着物から保護フィルムを剥離する際に発生する帯電量を測定する測定装置および方法に関する。本測定装置および方法は、例えば液晶ディスプレー等の電子部品に用いられる被貼着物であるプラスチックフィルムから保護フィルムを剥離する際に発生する帯電量を好適に測定することができる。
【背景技術】
【０００２】
被貼着物から保護フィルムを剥離する際に剥離帯電という現象が起こることは広く知られている。この現象は剥離した保護フィルムが手にまとわりつくなどの軽微な問題を起こしているうちは特に問題とされなかった。しかし、近年半導体の製造工程や液晶ディスプレイの製造工程でその工程内で使用される保護フィルム付きの被貼着物あるいは保護フィルム自体が発生する剥離帯電により半導体や液晶ディスプレイの駆動装置内にある半導体の絶縁破壊により動作不良が起こるという重大な不具合が発生するようになった。そこで、剥離帯電による帯電量を調べる必要がでてきた。
【０００３】
被貼着物から保護フィルムを剥離する際に発生する帯電の程度を測定するには、保護フィルムを剥離した被貼着物に帯電した帯電圧を測定する帯電圧測定装置を使用するのが一般的である。
【０００４】
この測定装置を使用して測定する場合、被貼着物との距離により帯電圧が変化するという欠点がある。これは原理上誘導電流を測定するという方法で測定しているため、被貼着物との距離が変わることにより測定される帯電圧が変化するのは避けられない。また、被貼着物の帯電圧をＶ、被貼着物の静電容量をＣ、被貼着物の帯電量をＱとすると、Ｑ＝ＣＶの式で表すことができることからわかるように、被貼着物の静電容量により被貼着物が実際に帯電している帯電量が変わってくるという問題点がある。さらに、測定可能な範囲が狭く、測定しようとしている被貼着物全体で発生している剥離帯電量がどの程度あるのかを定量的に測定することができないという問題がある。そして、被貼着物全体で剥離途中で発生している剥離帯電量がどのようなプロファイルで変化しているかを知ることができないという問題がある。
【発明の開示】
【発明が解決しようとする課題】
【０００５】
本発明は距離の影響や被貼着物の静電容量の影響を受けずに被貼着物全体で発生している剥離帯電量を測定でき、該被貼着物から保護フィルムを剥離している最中に発生している剥離帯電量のプロファイルを測定できる測定装置を提供するものである。
【課題を解決するための手段】
【０００６】
本発明は被貼着物から保護フィルムを剥離する際の帯電量の測定装置およびその方法であり、更には被貼着物から保護フィルムを剥離する際に発生する剥離帯電量を逐次測定できることを特徴とする測定装置およびその方法である。
【発明の効果】
【０００７】
本発明の剥離帯電量測定装置を使用すると、従来の測定器では測定できなかった被貼着物全体での剥離帯電量を安定して測定できるとともに、剥離過程における剥離帯電量のプロファイルを得ることができ、剥離中に起こる帯電量の変化を把握するのに利用できる。
【発明を実施するための最良の形態】
【０００８】
図３は本発明の剥離帯電量の測定装置の一例である。被貼着物１は金属板４上に置かれ、留め具１３によって被貼着物１が移動しないように止められている。      
【０００９】
被貼着物１は保護フィルムが貼着されるものなら何でもよくその材質、形状には特に限定されない、例えば、プラスチックフィルム、半導体ウエハあるいは金属などの導電性物質がある。液晶ディスプレイで使用されているトリアセチルセルロース樹脂製フィルムのような非導電性物質について好適に測定することができる。プラスチックフィルムにカーボンブラックなどの導電性材料を混入などしたものや表面に帯電防止剤を塗布したものも測定できる。但し、非導電性物質では厚みがあると保護フィルムの剥離表面で発生している帯電量全てを測定することは原理上困難であるためできるだけ厚みの薄いものが好ましいが測定できないわけではない。
【００１０】
金属板４は金属製の板であれば何でもよいが、長期にわたって使用することを考慮に入れるとサビの発生しない材質の金属が良く、ステンレス板などが好適に使用される。また、金属板４は被貼着物以上の面積をもつことが好ましい。被貼着物１の金属板４に接する側で剥離帯電により発生した電気力線を全て捕捉して測定精度を上げるためである。
【００１１】
導線５により金属板４と電荷量の測定装置であるクーロンメーター６の測定プローブ７は結線されている。クーロンメーター６は導線８によりアースに常時接続されている。クーロンメーターとは、検出された電荷を一旦コンデンサーに貯めて、貯まった電荷量を測定するという原理の測定器である。市販のものをそのまま使用することができる。
【００１２】
導線９により、金属板４はスイッチ１０を介してアースに接続されている。さらにアースに接続された被貼着物１の面積と同等、もしくは、それ以上の面積を保つ金属製の除電板１１が別途用意されている。除電板１１は金属製の板であれば何でもよい。除電板１１は被貼着物、保護フィルムのうち面積の大きいものが全て接触できる面積をもつことが好ましい。
【００１３】
金属板４は絶縁物１４を介して電気的な接続をもたずに金属製の測定台１５に固定されている。絶縁物１４は電気的に絶縁可能で帯電しにくいものであれば何でもよく、例えばセラミックスやガラスなどを用いることができ、好ましくはセラミックスである。
【００１４】
被貼着物１上に貼着された保護フィルム１２を剥離すると剥離することにより発生した電荷が被貼着物１に発生する。このとき被貼着物１に密接している金属板４には正負が反対の極性の電荷が発生すると同時に被貼着物１に発生した電荷と同じ極性の電荷が導線５を通ってクーロンメーター６の測定プローブ７に伝達され、そのときの剥離帯電電荷量としてクーロンメーター６に表示される。
【００１５】
金属板４を使用することにより、上述したように剥離帯電により発生する被貼着物１全体で発生した電荷を捕捉することができるため、被貼着物１全体で発生する剥離帯電量を測定できる。
【００１６】
図５はまた本発明の剥離帯電量測定装置の一例である。スイッチ２０を介して導線５、２５により金属板４と電荷量の測定装置であるクーロンメーター６の測定プローブ７は結線されている。クーロンメーター６は導線８により、チャートレコーダー２２に接続され、アース２３に常時接続されている。金属板４は、スイッチ２０を介して導線２４によりアースに接続することもできる。
【００１７】
金属板１５は導線２１を介してアースに接続されている。また、金属板１５は図示されていない非導電性材料の上に置かれている。非導電性材料とは非導電性の材料であって、例えば木などをあげることができるがこれに限定されるものではない。
【００１８】
被貼着物１上に貼着された保護フィルム１２を剥離すると剥離することにより発生した電荷が被貼着物１に発生する。このとき被貼着物１に密接している金属板４の被貼着物１に近い側には正負が反対の極性の電荷が発生すると同時に被貼着物１に発生した電荷と同じ極性の電荷が導線５、２５を通ってクーロンメーター６の測定プローブ７に伝達され、そのときの剥離帯電電荷量としてクーロンメーター６に表示される。電荷は保護フィルム１２を剥離するに従い発生するため、クーロンメーター６に導線８を介して接続されたチャートレコーダー２２には、この電荷量を時間軸に対してプロットすることができ、剥離帯電量のプロファイルを知ることができる。
【００１９】
金属板１５上に、導線17によりアースに接続された導電性材料で作られたシールド１６で、測定装置を周囲の電気的影響から遮蔽することが好ましい。導電性材料とは導電性の材料であって、例えば金属あるいは測定に影響しない程度の穴を空けた金属を用いることができるがこれに限定されるものではない。測定装置のうち上述したクーロンメーター６、測定プローブ７、スイッチ１０などの樹脂が使用されている製品はシールド１６の外に置くことが好ましく、やむを得ずシールド１６内に置く場合は、導電性材料で周囲を覆うことが好ましい。
【００２０】
シールド１６内にある保護フィルム１２を剥離して剥離帯電量を測定する際には、導電性材料で作られたクリップなどの保護フィルム担持治具１８で保護フィルム１２を挟むなどして担持し、保護フィルム担持治具１８に接続された非導電性材料で作られたひも１９を引っ張ることにより実施される。導電性材料とは導電性の材料であって、例えば金属を用いることができるがこれに限定されるものではない。非導電性材料とは非導電性の材料であって、例えば綿を用いることができるがこれに限定されるものではない。保護フィルム担持治具１８に接続された非導電性材料で作られたひも１９は、ひも状である必要はなく、シールド１６内にある保護フィルム１２をシールド外から剥離できる手段であれば、特に限定されるものではなく、保護フィルム担持治具１８を介さず保護フィルム１２にひも１９を直接取り付けて使用するなど上述した方法に限定されるものでもない。
【００２１】
被貼着物１及び保護フィルム１２を金属板４に留め具１３を使って固定する前に、あらかじめ、除電して帯電圧が０Ｖであることを確認することが望ましい。この際、被貼着物１及び保護フィルム１２が再び帯電することのないように、電気的に絶縁可能で帯電しにくいもの、例えばセラミックスやガラスなどでできたピンセットなどで保持しながら除電することが望ましい。この操作は行わなくても本測定装置を使用して剥離帯電量を測定することは可能であるが、測定結果の正確さを要求する場合には、この操作を実施することが望ましい。
【００２２】
本発明の測定装置を使用することにより、従来使用されていた帯電圧を測定する装置と違い、距離の影響や被貼着物の静電容量の影響を受けずに被貼着物全体で発生している剥離帯電量を測定でき、被貼着物を保護する保護フィルムを剥離している最中に発生する剥離帯電量のプロファイルを測定することができる。その結果、半導体の製造工程や液晶ディスプレイの製造工程で、その工程内で使用される保護フィルム付きの被貼着物、あるいは、保護フィルム自体が発生する剥離帯電により半導体や液晶ディスプレイの駆動装置内にある半導体の絶縁破壊により動作不良が起こるという重大な不具合が発生するような微小な電荷量を測定することができる測定装置を提供するものである。
【実施例】
【００２３】
（実施例１）図３に示す構造の剥離帯電量測定装置を用い、被貼着物としてポリエチレンテレフタレート樹脂フィルムＳＬ（帝人・デュポン社製）、保護フィルムとしてスミロンＥ−２０３５（スミロン社製）を使用した。被貼着物を留め具１３を用いて、被貼着物と同じ面積（１２５ｍｍ×５０ｍｍ）で絶縁物１４（セラミックス）の上に置かれた金属板４（ＪＩＳ  Ｇ  ４３０５記載のステンレス製の厚さが１．５ｍｍ、表面状態はＪＩＳ  Ｒ  ６２５３記載の２８０番の耐水研磨紙で試験板の幅方向に研磨紙で軽く指標を付け、この指標が完全に消えるまで全長にわたって長さ方向に均一に研磨したもの。）に固定し、１２５ｍｍ×５０ｍｍ（実際に貼着する部分は１００ｍｍ×５０ｍｍ）の保護フィルムをＪＩＳ  Ｚ−０２３７準拠のローラーで３００ｍｍ／ｍｉｎの速度で貼着し（被貼着物にあらかじめ保護フィルムを貼ったものを使用することもできる）、除電板１１（ＪＩＳ  Ｇ  ４３０５記載のステンレス製の厚さが１．５ｍｍ、表面状態はＪＩＳ  Ｒ  ６２５３記載の２８０番の耐水研磨紙で試験板の幅方向に研磨紙で軽く指標を付け、この指標が完全に消えるまで全長にわたって長さ方向に均一に研磨したもの。）を保護フィルムの上に載せると同時に、スイッチ１０を切り替えて金属板４をアースに接続し、３０秒間放置する。この後、速やかに除電板１１を取り除き、スイッチ１０を切り替えて金属板４とアースとの接続を切る。セラミック製のピンセットで保護フィルムを約２，０００ｍｍ／ｍｉｎの速度で剥離することで、剥離帯電量を測定した。クーロンメーターとして春日電機株式会社のＮＫ−１００１を使用した。測定した剥離帯電量の積算値を経時でプロットしたものを図４に示す。
【００２４】
（実施例２）図5に示す構造の剥離帯電量測定装置を用い、被貼着物としてポリエチレンテレフタレート樹脂フィルムＳＬ（帝人・デュポン社製）、保護フィルムとしてスミロンＥ−２０３５（スミロン社製）を使用した。測定にあたり、スイッチ２０をアースに接続された導線２４側に切り替えて金属板４をアースに接続する。被貼着物１（１２５ｍｍ×５０ｍｍ）をイオン化エアー除電装置（キーエンス社製ＳＪ−Ｓ０２０）を使用して除電し、帯電圧が０Ｖであることを帯電圧測定装置（キーエンス社製ＳＫ２００）を使用して確認する。同様に、保護フィルム１２（１２５ｍｍ×２５ｍｍ）についてもイオン化エアー除電装置を使用して除電し、帯電圧が０Ｖであることを確認する。除電された保護フィルム１２をＪＩＳ  Ｚ−０２３７準拠のローラーで３００ｍｍ／ｍｉｎの速度で被貼着物１に１００ｍｍ×２５ｍｍの範囲で貼着し（被貼着物にあらかじめ保護フィルムを貼ったものを使用することもできる）、これを再びイオン化エアー除電装置で除電し、帯電圧が０Ｖであることを確認した上で、留め具１３を用いて被貼着物と同じ面積（１２５ｍｍ×５０ｍｍ）で絶縁物１４（セラミックス）の上に置かれた金属板４（ＪＩＳ  Ｇ  ４３０５記載のステンレス製の厚さが１．５ｍｍ、表面状態はＪＩＳ  Ｒ  ６２５３記載の２８０番の耐水研磨紙で試験板の幅方向に研磨紙で軽く指標を付け、この指標が完全に消えるまで全長にわたって長さ方向に均一に研磨したもの。）に固定する。この後、保護フィルム１２の非貼着部を保護フィルム担持治具１８を使用して担持し、シールド１６で遮蔽した後、スイッチ２０を切り替えて金属板４とアースとの接続を切る。ひも１９を約３００ｍｍ／ｓｅｃの速度で剥離することで剥離帯電量を測定した。クーロンメーターとして春日電機株式会社のＮＫ−１００１を使用した。また、被貼着物１、保護フィルム１２を除電する操作では、セラミック製のピンセットを使用して直接手で触れない方法をとった。
【図面の簡単な説明】
【００２５】
【図１】図１は従来の帯電圧測定装置の概略図。
【図２】図２は従来の帯電圧測定装置での被貼着物の測定範囲の概略図。
【図３】図３は本発明の剥離帯電量測定装置の一例の概略図。
【図４】図４は本発明に係わる帯電量の測定方法により得られた剥離中における剥離帯電量のプロファイルの一例
【図５】本発明の剥離帯電量測定装置の一例の概略図。
【符号の説明】
【００２６】
１、被貼着物
２、測定装置
３、観測窓
４、金属板
５、導線
６、クーロンメーター
７、測定プローブ
８、導線
９、導線
１０、スイッチ
１１、除電板
１２、保護フィルム
１３、留め具
１４、絶縁物
１５、金属製の測定台板
１６、シールド
１７、導線
１８、保護フィルム担持治具
１９、ひも
２０、スイッチ
２１、導線
２２、チャートレコーダー
２３、導線
２４、導線
２６、導線
【図１】
2005257674.tif 000003
【図２】
2005257674.tif 000004
【図３】
2005257674.tif 000005
【図４】
2005257674.tif 000006
【図５】
2005257674.tif 000007